(57)【要約】【課題】水晶パッケージの出力端子と回路パッケージの外部端子との電気的接続不良の発生を低減して、製造歩留まりを向上させた接合型水晶発振器を提供する。【解決手段】水晶振動子を収容した水晶パッケージ１と、水晶発振子と共に発振回路を構成するＩＣチップ等の電子回路部品を収容した回路パッケージ３が二段に接合され、水晶パッケージ１の容器は裏面１Ａに複数の面状の出力端子２が当該裏面より一段高く形成されており、回路パッケージ３の上面３Ａに複数の面状の外部端子４が当該上面より一段高く形成されており、水晶パッケージ１の裏面１Ａと、回路パッケージ３の上面３Ａとの間に、熱硬化性樹脂６２にはんだ微粒子６１を分散した異方性導電接着剤６を介在させてなり、出力端子の厚みをＣμｍ、外部端子の厚みをＤμｍ、はんだ微粒子の平均外径をＥμｍとしたとき、（Ｃ＋Ｄ）＞Ｅとした。【選択図】図２
2014216753.tif 000002
【特許請求の範囲】
【請求項１】
水晶振動子を収容した水晶パッケージと、水晶発振子と共に発振回路を構成するＩＣチップ等の電子回路部品を収容した回路パッケージを二段に接合した接合型水晶発振器であって、
前記水晶パッケージの容器は、前記回路パッケージと対向する裏面に複数の面状の出力端子が当該裏面より一段高く形成されており、
前記回路パッケージは、前記水晶パッケージと対向する上面の当該水晶パッケージに形成された出力端子に対応する位置に複数の面状の外部端子が当該上面より一段高く形成されており、
前記水晶パッケージの前記回路パッケージと対向する裏面と、前記回路パッケージの前記水晶パッケージと対向する上面との間に、熱硬化性樹脂にはんだ微粒子を分散した異方性導電接着剤が介在されてなり、
前記水晶パッケージに形成された前記出力端子の厚みをＣμｍ、前記回路パッケージに形成された前記外部端子の厚みをＤμｍ、前記異方性導電接着剤に分散された前記はんだ微粒子の平均外径をＥμｍとしたとき、
（Ｃ＋Ｄ）＞Ｅとしたことを特徴とする接合型水晶発振器。
【請求項２】
請求項１において、
前記はんだ微粒子の平均外径Ｅを２０乃至３０μｍとしたとき、前記水晶パッケージに形成された前記出力端子の厚みと前記回路パッケージに形成された前記外部端子の厚みの合計（Ｃ＋Ｄ）を３０μｍ以上としたことを特徴とする接合型水晶発振器。
【請求項３】
請求項１において、
前記水晶パッケージの容器及び前記回路パッケージのうち、前記水晶パッケージの容器は水晶板の加工品であることを特徴とする接合型水晶発振器。
【請求項４】
請求項１において、
前記水晶パッケージの容器及び前記回路パッケージの容器は、共に水晶板の加工品であることを特徴とする接合型水晶発振器。
【請求項５】
請求項１乃至４の何れかにおいて、
前記水晶パッケージの容器の裏面に設けられた複数の面状の出力端子の表面同士の間の前記回路パッケージの外部端子から離れる方向の反り量をＡ（Ａ≧０）とし、
前記回路パッケージの容器の上面に設けられた複数の面状の外部端子の表面同士の間の前記水晶パッケージの出力端子から離れる方向の反り量をＢ（Ｂ≧０）としたとき、
（Ａ＋Ｂ）≦２０μｍとした水晶パッケージ及び回路パッケージを用いて接合したことを特徴とする接合型水晶発振器。
【発明の詳細な説明】
【技術分野】
【０００１】
本発明は、表面実装型の水晶発振器に係り、特に、水晶発振子を収容した水晶パッケージと、この水晶発振子と共に発振回路を構成するＩＣチップ等の電子回路部品を収容した回路パッケージを二段に接合した水晶発振器に関する。
【背景技術】
【０００２】
水晶発振器は、例えば温度補償型として携帯電話等の移動体通信機器に多く使用されている。近年では、生産性の観点から、電子部品を収容した実装基板を水晶振動子の底面に接合した表面実装型の水晶発振器がある。
【０００３】
第５図は、水晶パッケージと回路パッケージを二段に接合した従来の表面実装型の水晶発振器を説明する断面模式図で、図５（ａ）は両者を接合する前の状態を、図５（ｂ）は両者を一体に接合した状態を示す。この水晶発振器は、内部に水晶片を収容した水晶パッケージ１に有する出力端子（水晶出力端子）２の設置面（底壁（裏面））と、水晶片（図示を省略）と共に発振回路を構成するＩＣチップ（図示を省略）を収容した回路パッケージ３に設けた外部端子（水晶入力端子）４の設置面（上面）とを上下二段に接合して構成される。水晶パッケージ１に有する出力端子２、回路パッケージ３に設けた外部端子４は、それぞれ、水晶パッケージ１の出力端子２が設置された底面である裏面１Ａ、回路パッケージ３の外部端子４の上面３Ａから一段高く形成されている。
【０００４】
上記水晶パッケージ１と回路パッケージ３との電気的接合には、接着性を有する異方性導電接着剤６が用いられている。この異方性導電接着剤６は、絶縁性の高い接着剤中に導電粒子を均一に分散させたもので、相対向する電極間の電気的接続と隣接電極間の絶縁とパッケージ間の固定に用いられる。リフロー処理などの熱処理工程に使用されるものとして、耐熱性が高く、かつ絶縁性の高いエポキシ樹脂を用い、はんだ粉（以下、はんだ微粒子）を導電粒子としたものがある。このような異方性導電接着剤は、接合電極の表面にはんだのプリコートを不要とするものも知られている。
【０００５】
水晶パッケージ１と回路パッケージ３との貼り合わせ面に熱硬化性樹脂（エポキシ樹脂）６２にはんだ微粒子６１を分散した異方性導電接着剤６を塗布する（図５（ａ）参照）。異方性導電接着剤６は、熱硬化性樹脂（エポキシ樹脂）６２にはんだ微粒子６１を分散した半田粒子入り熱硬化樹脂剤で、この例では、回路パッケージ３の外部端子４の設置面である当該外部端子４を含めた上面３Ａにペースト状としたものを塗布する。なお、異方性導電接着剤６は、ペースト状のものに代えて、液状としたものがあり、これを塗布し、あるいはフィルム状に成形したものを貼付してもよい。水晶パッケージ１や回路パッケージ３の容器（筐体）は、ガラスエポキシ板、セラミックス板、水晶板あるいはガラス板を成型加工して形成される。
【０００６】
回路パッケージ３の外部端子４の上面３Ａに塗布された異方性導電接着剤６の上に水晶パッケージ１の出力端子２が設置された底面である裏面１Ａを当該出力端子２が前記外部端子４に正しく対向するように位置合わせし、リフロー炉で両者を押圧加熱処理する。この処理により、水晶振動子パッケージ１と回路パッケージ３とは、図５（ｂ）に示したように接合される。すなわち、出力端子２と外部端子４との間にあるはんだ粒子６１ａは、出力端子２と外部端子４との間で押し潰される。出力端子２と外部端子４の両端子は押し潰されたはんだ微粒子６１ａで電気的に接続される。
【０００７】
水晶パッケージ１と回路パッケージ３の間にある異方性導電接着剤６は、そのエポキシ樹脂の加熱による溶融とその後の冷却による硬化で水晶パッケージ１と回路パッケージ３を機械的に強固に接合し、一体の電子部品とした二段接合の水晶発振器となる。この種の二段接合型の水晶発振器の従来例としては、特許文献１、特許文献２を挙げることができる。
【先行技術文献】
【特許文献】
【０００８】
【特許文献１】特開２０００−３４９５５５号公報
【特許文献２】特開２００９−１０５６２８号公報
【発明の概要】
【発明が解決しようとする課題】
【０００９】
図６は、図５で説明した二段接合した従来の表面実装型の水晶発振器における水晶パッケージと回路パッケージの接合不良の発生原因を説明する断面模式図である。水晶パッケージ１の接合面１Ａと回路パッケージ３の接合面３Ａの何れか一方又は双方に非平坦、あるいは部分的な反りなどの非平行歪があると、水晶パッケージ１の出力端子２と回路パッケージ３の外部端子４の間にある半田粒子６１が、図６の円で囲ったＢ部分に示したように、押圧加熱処理で潰されないままとなる場合がある。
【００１０】
図６には、回路パッケージ３の外部端子４の一つを設けた上面３Ａが、水晶パッケージ１の裏面１Ａに対して部分的に紙面の右下方向に反った非平行歪がある場合として示す。この結果、水晶パッケージ１の出力端子２と回路パッケージ３の外部端子４との間にあるはんだ微粒子６１は押し潰しが不十分、あるいは皆無となり、電気的接続が得られないという不具合が発生し、不良部品となって製造歩留まりの低下をもたらす。水晶パッケージ１の裏面１Ａ、あるいは水晶パッケージ１の出力端子２を設けた裏面１Ａと回路パッケージ３の外部端子４を設けた上面３Ａの両方に反りなどの非平行歪がある場合も同様の不具合が生じる。
【００１１】
本発明の目的は、水晶パッケージと回路パッケージの接合面に非平行歪があることに起因して起こる水晶パッケージの出力端子と回路パッケージの外部端子との電気的接続不良の発生を低減して、製造歩留まりを向上させた接合型水晶発振器を提供することにある。
【課題を解決するための手段】
【００１２】
上記目的を達成するため、本発明の接合型水晶発振器は、
（１）水晶振動子を収容した水晶パッケージと、水晶発振子と共に発振回路を構成するＩＣチップ等の電子回路部品を収容した回路パッケージを二段に接合した水晶発振器であって、
（２）前記水晶パッケージの容器は、前記回路パッケージと対向する裏面に複数の面状の出力端子が当該裏面より一段高く形成されており、
（３）前記回路パッケージは、前記水晶パッケージと対向する上面の当該水晶パッケージに形成された出力端子に対応する位置に複数の面状の外部端子が当該上面より一段高く形成されており、
（４）前記水晶パッケージの前記回路パッケージと対向する裏面と、前記回路パッケージの前記水晶パッケージと対向する上面との間に、熱硬化性樹脂に球形のはんだ微粒子を分散した異方性導電接着剤を介在させてなり、
（５）前記水晶パッケージに形成された前記出力端子の厚みをＣμｍ、前記回路パッケージに形成された前記外部端子の厚みをＤμｍ、前記異方性導電接着剤に分散された前記はんだ微粒子の平均外径をＥμｍとしたとき、
（６）（Ｃ＋Ｄ）＞Ｅとした
ことを特徴とする。
（７）前記はんだ微粒子の平均外径Ｅを２０乃至３０μｍとしたとき、前記水晶パッケージに形成された前記出力端子の厚みと前記回路パッケージに形成された前記外部端子の厚みの合計（Ｃ＋Ｄ）を３０μｍ以上とした
ことを特徴とする。
（８）前記水晶パッケージの容器及び前記回路パッケージのうち、前記水晶パッケージの容器は水晶板の加工品である
ことを特徴とする。
（９）前記水晶パッケージの容器及び前記回路パッケージの容器は、共に水晶板の加工品である
ことを特徴とする。
（１０）前記水晶パッケージの容器の裏面に設けられた複数の面状の出力端子の表面同士の間の前記回路パッケージの外部端子から離れる方向の反り量をＡ（Ａ≧０）とし、前記回路パッケージの容器の上面に設けられた複数の面状の外部端子の表面同士の間の前記水晶パッケージの出力端子から離れる方向の反り量をＢ（Ｂ≧０）としたとき、（Ａ＋Ｂ）≦２０μｍとした水晶パッケージ及び回路パッケージを用いて接合する
ことを特徴とする。
【発明の効果】
【００１３】
水晶パッケージに形成された出力端子の厚みＣと回路パッケージに形成された外部端子の厚みＤの合計をはんだ微粒子の平均外径Ｅよりも大とすることで、水晶パッケージに形成された出力端子と回路パッケージに形成された外部端子とは、はんだ微粒子の潰れが確実となり、両者の電気的導通不良が防止される。出力端子と外部端子以外の対向部分は異方性導電接着剤を構成する熱硬化性樹脂によって固く接合される。
【図面の簡単な説明】
【００１４】
【図１】本発明の実施例１を説明する接合型水晶発振器の断面模式図である。
【図２】図１に示した水晶パッケージと回路パッケージの対向部分を拡大して示す断面模式図である。
【図３】水晶パッケージ１と回路パッケージ３の対向面における非平行歪の許容量を説明する断面模式図である。
【図４】本発明の実施例２を説明する接合型水晶発振器の断面模式図である。
【図５】水晶パッケージと回路パッケージを二段に接合した従来の表面実装型の水晶発振器を説明する断面模式図である。
【図６】図５で説明した二段接合した従来の表面実装型の水晶発振器における水晶パッケージと回路パッケージの接合不良の発生原因を説明する断面模式図である。
【発明を実施するための形態】
【００１５】
以下、本発明に係る接合型水晶発振器の実施の形態につき、実施例の図面を参照して詳細に説明する。
【実施例１】
【００１６】
図１は、本発明の実施例１を説明する接合型水晶発振器の断面模式図である。また、図２は、図１に示した水晶パッケージと回路パッケージの対向部分を拡大して示す断面模式図である。図中、図５−図６と同じ機能部分には同一の参照符号を付してある。水晶パッケージ１の容器内には水晶片（図示を省略）が収容されている。回路パッケージ３には、水晶片と共に発振回路を構成するＩＣチップ（図示を省略）が収容されている。なお、回路パッケージ３には、水晶発振器の種類によっては温度制御回路、同機構などがＩＣチップに集積され、またはＩＣチップと共に収容されている。
【００１７】
水晶パッケージ１の裏面１Ａには、水晶振動子の振動信号を出力する複数の出力端子２が設けられている。また、回路パッケージ３の前記水晶パッケージ１の裏面１Ａと対向する上面３Ａには、水晶パッケージ１から水晶片の振動信号を受け取るための外部端子４が設けられている。
【００１８】
水晶パッケージ１に設けた出力端子２、回路パッケージ３に設けた外部端子４は、それぞれ、水晶パッケージ１の裏面１Ａ、回路パッケージ３の上面３Ａから一段高く形成されている。なお、参照符号５は、この接合型水晶発振器を適用機器の回路基板等に実装するための表面実装端子である。
【００１９】
前記した図５と同様に、水晶パッケージ１の出力端子２と回路パッケージ３の外部端子４との電気的接合には、熱硬化性樹脂であるエポキシ樹脂６２にはんだ微粒子６１を分散させた接着性を有する異方性導電接着剤６が用いられる。この異方性導電接着剤６を水晶パッケージ１の裏面１Ａと回路パッケージ３の上面３Ａとの間に介在させる。実施例１では、回路パッケージ３の上面３Ａに、外部端子４を含めた全面に異方性導電接着剤６を塗布する。その後、水晶パッケージ１の裏面を回路パッケージ３の上面に載置し、出力端子２と外部端子４とが正しく対向するように位置合わせする。
【００２０】
位置あわせ後、水晶パッケージ１と回路パッケージ３とを貼り合わせ方向に押圧した状態でリフロー処理を施す。このリフロー処理により、エポキシ樹脂６２が溶融すると共に、分散されたはんだ微粒子６１も加熱される。図２に示したように、水晶パッケージ１に形成された出力端子２の厚みをＣμｍ、回路パッケージ３に形成された外部端子４の厚みをＤμｍ、異方性導電接着剤６に分散されたはんだ微粒子６１の平均外径をＥμｍとしたとき、（Ｃ＋Ｄ）＞Ｅに設定されている。
【００２１】
図２に示したような寸法関係の設定により、水晶パッケージ１の出力端子２と回路パッケージ３の外部端子４の間で加熱されたはんだ微粒子６１は上記押圧の圧力で押し潰され、出力端子２と外部端子４は電気的に接続される。溶融した熱硬化性樹脂６２は水晶パッケージ１の出力端子を含めた裏面１Ａと回路パッケージ３の外部端子４を含めた上面３Ａの全面に濡れ広がり、リフロー処理後の冷却で硬化し、両者を機械的にも強固に接合する。
【００２２】
このように、水晶パッケージ１に形成された出力端子２の厚みをＣ、回路パッケージ３に形成された外部端子４の厚みをＤμｍ、異方性導電接着剤６に分散されたはんだ微粒子６１の平均外径をＥμｍとして、（Ｃ＋Ｄ）＞Ｅに設定することで、前記した従来技術の課題として説明した電気的接続不良を回避することができる。
【００２３】
以上の説明では、水晶パッケージ１と回路パッケージ３の対向面が平行で、あることを前提としたが、これらの面に反りなどの非平行歪がある場合の対応について、以下に説明する。
【００２４】
図３は、水晶パッケージ１と回路パッケージ３の対向面における非平行歪の許容量を説明する断面模式図である。上記の各図と同様の機能部分には同一参照符号を付してある。図３において、水晶パッケージ１の容器の裏面１Ａに設けられた複数の面状の出力端子２の表面同士の間の回路パッケージ３の外部端子４から離れる方向の反り量をＡ（Ａ≧０）とする。また、回路パッケージ３の容器の上面３Ａに設けられた複数の面状の外部端子４の表面同士の間の前記水晶パッケージ１の出力端子２から離れる方向の反り量をＢ（Ｂ≧０）とする。そして、これらの合計が（Ａ＋Ｂ）≦２０μｍである水晶パッケージ１及び回路パッケージ３を用いる。
【００２５】
上記の（Ａ＋Ｂ）≦２０μｍを満たさない水晶パッケージ１と回路パッケージ３は接合前に排除する。なお、言うまでもなく、Ａ＝０、あるいはＢ＝０の場合は、水晶パッケージ１と回路パッケージ３の一方のみの排除となる。
【００２６】
本実施例によれば、図５（ｂ）に示したように、出力端子２と外部端子４の間に押し潰されたはんだ微粒子６１ａが形成されて良好な接合が達成され、接合型水晶発振器の製造歩留まりを向上することができる。
【実施例２】
【００２７】
図４は、本発明の実施例２を説明する接合型水晶発振器の（ａ）断面模式図、（ｂ）（ａ）の回路パッケージを水晶パッケージ側から見た平面模式図である。図中、図１−図３、図５−図６と同じ機能部分には同一の参照符号を付してある。本実施例は、水晶パッケージ１と回路パッケージ３を共に水晶板の加工で構成した接合型水晶発振器である。
【００２８】
水晶パッケージ１は、底壁１１、水晶片１２、蓋壁１３を貼り合わせて構成される。これら底壁１１、水晶片１２、蓋壁１３は全て水晶板の加工で形成されたものである。水晶片１２の両面に励振電極１４ａ，１４ｂが成膜されており、連結部１５で基部１６に片もち懸架されている。水晶片１２の振動信号は、図示しない導体で出力端子２に接続されている。このように、本実施例の接合型水晶発振器を構成する水晶パッケージ１は全体が水晶板を構成材としてある。
【００２９】
また、本実施例では、回路パッケージ３も、その容器が水晶板の加工で形成されたものを用いている。この容器は、比較的厚での水晶板をエッチング加工で凹部９が形成され、この凹部９にＩＣチップ９のバンプ８を図示しない凹部の底面に設けた配線パターン（図示せず）の電極パッドに接続して搭載されている。外部端子４とＩＣチップの接続などは、上記の配線パターンで行われる。
【００３０】
図４（ｂ）に示したように、回路パッケージ３の解放端の角部分に複数の（ここでは、４個）外部端子４が設けられており、この外部端子４と出力端子２（図４（ａ）参照）との間のはんだ微粒子６１ａは押し潰されて平面が拡大した形状になっている。電気的接続が必要な部分以外の回路パッケージ３の開放端は熱硬化性樹脂６２で機械的に接合されている。
【００３１】
本実施例では、水晶パッケージ１と回路パッケージ３の両方共、容器（水晶パッケージ１は構成材全て）が水晶板で構成されたものであるが、それらの一方のみを水晶板以外の既知の基板（例えば、ガラス・エポキシ板、セラミックス板、ガラス板、等）で構成したものとすることもできる。
【００３２】
本実施例によっても、水晶パッケージの出力端子と回路パッケージの外部端子の間に押し潰されたはんだ微粒子が形成されて良好な接合が達成された接合型水晶発振器を得ることができ、当該接合型水晶発振器の製造歩留まりを向上することができる。
【産業上の利用可能性】
【００３３】
本発明は、水晶発振器に限るものではなく、はんだ粒子入りの熱硬化性樹脂からなる異方性導電接着剤を用いる各種の電子部品の接合に適用することができる。
【符号の説明】
【００３４】
１・・水晶パッケージ、１Ａ・・水晶パッケージの裏面、２・・出力端子、３・・回路パッケージ、３Ａ・・回路パッケージの上面、４・・外部端子、５・・実装端子、６・・異方性導電接着剤、６２・・熱硬化性樹脂、６１・・はんだ微粒子、７・・ＩＣチップ、９・・凹部、１１・・底壁、１２・・水晶片、１３・・蓋壁、１４ａ，１４ｂ・・励振電極、１５・・連結部、１６・・基部。
【図１】
2014216753.tif 000003
【図２】
2014216753.tif 000004
【図３】
2014216753.tif 000005
【図４】
2014216753.tif 000006
【図５】
2014216753.tif 000007
【図６】
2014216753.tif 000008